【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
水タンク（１１）と、
土の層（３）と、
空気に対して殺菌効果を有する物質から構成される微生物を減少させる層（４）と
を含む空気を浄化するための生物学的フィルタシステム。
【請求項２】
空気圧縮機室をさらに含む請求項１に記載の生物学的フィルタシステム。
【請求項３】
前記微生物を減少させる層（４）が、石灰石、ドロマイト、カルサイト、マグネサイト、セルロース、ヘミセルロース、木屑およびこれらの組み合わせからなる群から選択される物質を好ましくは含む請求項１または２に記載の生物学的フィルタシステム。
【請求項４】
前記微生物を減少させる層を構成する物質が、篩によって測定された好ましくは０．１〜７．０ｃｍの平均粒子サイズを有する請求項１から３のいずれかに記載の生物学的フィルタシステム。
【請求項５】
前記水タンク（１１）は前記土の層（３）の中または真下に置かれ、水の表面と前記土の層の底面との間にはエアポケットまたは距離が存在し、前記エアポケットまたは距離は土の中にまたはタンク内の水の表面と土の層の底面との間に空気を流すことが十分にできるものであり、好ましくは、前記距離が０．１〜１５ｃｍの範囲内である請求項１から４のいずれかに記載の生物学的フィルタシステム。
【請求項６】
前記フィルタシステムが、前記水タンクから土および植物を自動灌漑する手段を含む請求項１から５のいずれかに記載の生物学的フィルタシステム。
【請求項７】
前記水タンクが、好ましくは１つまたは複数の灯芯（１２）を使用して、前記土の層と連結している請求項１から６のいずれかに記載の生物学的フィルタシステム。
【請求項８】
前記土の層が、好ましくは、微生物活性を有する腐植土および／または粘土を含む請求項１から７のいずれかに記載の生物学的フィルタシステム。
【請求項９】
前記土の層が、前記土の層内を空気が３００〜４００ｍ3／ｍ2ｈで通過できる程度の孔隙性を有する請求項１から８のいずれかに記載の生物学的フィルタシステム。
【請求項１０】
前記フィルタシステムが、前記フィルタシステムに空気を強制的に通過させる手段を含む請求項１から９のいずれかに記載の生物学的フィルタシステム。
【請求項１１】
前記土の層が、１または複数の植物のための培地を構成する請求項１から１０のいずれかに記載の生物学的フィルタシステム。
【請求項１２】
前記植物が、好ましくは、アロエ・バルバデンシス（Aloe barbadensis）、ムサ・オリアナ（Musa oriana）、アグラオネマ・モデスタム（Aglaonema modestum）、フィロデンドロン・ドメスティクム（Philodendron domesticum）、ヘデラ・ヘリックス（Hedera helix）、フィカス・ベンジャミナ（Ficus benjamina）、ゲルベラ・ジェームソニー（Gerbera jamesonii）、エピプレムヌム・オーレウム（Epipremnum aureum）、フィロデンドロン・オキシカルジウム（Philodendron oxycardium）、ドラセナ・デレメンシス（Dracaena deremensis）、フィロデンドロン・セローム（Philodendron selloum）、ドラセナ・マルギナータ（Dracaena marginata）、ドラセナ・マッサンゲアーナ（Dracena massangeana）、ブラッサイア・アルボリコラ（Brassaia arboricola）、サンセベリア・ローレンチー（Sansevieria laurentii）、トラデスカンチャ・シラモンタナ（Tradescantia sillamontana）、スパティフィラム「マウナ・ロア」（Spathiphyllum "Mauna Loa"）、ペペロミア・オブツシフォリア（Peperomia obtusifolia）、クリサンテマム・モリフォリウム（Chrysanthemum morifolium）、クロロフィツム・エラタム（Chlorophytum elatum）、シンゴニウム・ポドフィラム（Syngonium podophyllum）、ドラセナ・デレメンシス「ワーネッキー」（Dracaena deremensis "Warneckii"）からなる群から選択される請求項１１に記載の生物学的フィルタシステム。
【請求項１３】
空気の入口（８）と、
水タンク（１１）と、
土の層（３）および空気に対して殺菌効果を有する物質から構成される微生物を減少させる層（４）のための保持器と
を含む生物学的フィルタシステムのハウジング（１８）であって、
空気が前記入口（８）から水（１１）の表面へ導かれ、その後に前記土の層（３）を通過しかつ前記微生物を減少させる層（４）を通過するか、または土の中へ直接導かれるように構成されたハウジング。
【請求項１４】
前記水タンク（１１）が、好ましくは１つまたは複数の灯芯（１２）を介して、前記土の層と連結している請求項１３に記載の生物学的フィルタシステムのハウジング。
【請求項１５】
前記ハウジングが、前記ハウジングおよび生物学的フィルタシステムを通して空気を導く手段、好ましくはファン（６）、換気装置、ポンプまたは圧縮機をさらに含む請求項１３または１４に記載の生物学的フィルタシステムのハウジング。
【請求項１６】
前記土の層および微生物を減少させる層のための保持器が、孔の開いた底部プレート（２）を含む請求項１３から１５のいずれかに記載の生物学的フィルタシステムのハウジング。
【請求項１７】
前記タンク内の水の量を検出する手段を含む請求項１３から１６のいずれかに記載の生物学的フィルタシステムのハウジング。
【請求項１８】
前記タンク内に水を満たす手段（１０）を含む請求項１３から１７のいずれかに記載の生物学的フィルタシステムのハウジング。
【請求項１９】
水タンク（１１）に空気を通過させるかまたは水タンク（１１）に沿って空気を流すステップと、
土の層（３）に空気を通過させて、空気を浄化および調節するステップと、
空気に対して殺菌効果を有する物質から構成される微生物を減少させる層（４）に空気を通過させるステップと
を含む空気を浄化および調節する方法。
【請求項２０】
空気の温度が、前記土の層を通過する間に、好ましくは圧力または流量調整によって、１〜８℃、好ましくは３〜８℃、さらに好ましくは２〜５℃低下する請求項１９に記載の方法。
【請求項２１】
空気の相対湿度が、前記土の層を通過する間に、７５〜９５％に増加する請求項１９または２０に記載の方法。
【請求項２２】
空気が微生物を減少させる層を通過し、好ましくは前記物質が、石灰石、ドロマイト、カルサイト、マグネサイト、セルロース、ヘミセルロース、木屑およびこれらの組み合わせからなる群から選択される物質を含む請求項１９から２１のいずれかに記載の方法。
【請求項２３】
空気が土、好ましくは微生物活性を有しかつ植物の培地を構成する土を通過する請求項１９から２２のいずれかに記載の方法。
【請求項２４】
前記微生物を減少させる層を通過する間に、空気中の胚細胞の数が減少する請求項１９から２３のいずれかに記載の方法。
【請求項２５】
前記土の層を通過する間に、空気中の有害ガスが吸収および／または破壊される請求項１９から２４のいずれかに記載の方法。
【請求項２６】
前記有害ガスとして、ベンゼン、ホルムアルデヒド、トリクロロエチレン、トルエン、アセトン、臭化物、塩化物などが好ましい請求項２５に記載の方法。
【請求項２７】
前記土の層および前記微生物を減少させる層を通過する間に、空気中から、２μｍ以上の平均サイズを有する実質的に全ての粒子が除去される請求項１９から２６のいずれかに記載の方法。
【請求項２８】
空気の浄化および調節への請求項１から１２のいずれかに記載の生物学的フィルタシステムの使用。
【請求項２９】
空気の浄化および調節への請求項１９から２７のいずれかに記載の方法の使用。